(57)【要約】【目的】  多数のびん、缶等の資源回収に回す容器を洗浄を行う際の容器からの排水を容易にし、排水により汚されない流し用水切りを提供する。【構成】  流し台４のシンク４ａの縁４ｂに嵌合する回り縁１ａを有する板材１に前後方向に一列にびんの首部を嵌入するびん支持穴３ａ〜３ｄを設ける。この穴３ａ〜３ｄ列に平行して水切り格子５を設ける。穴３ａ〜３ｄに夫々びんの首部を差し込む際に、板材１上には、この操作を邪げるものがないので操作性がよい。びんからの排水はシンク４ａに流れるので、板材１は排水によって汚れない。空缶等は洗浄水を入れて水切り格子５上に置くことにより排水できる。【選択図】  図１
0003124263.tif 000002
【実用新案登録請求の範囲】
【請求項１】
平板状の板材にびんの首部が夫々嵌入する複数のびん支持穴であって、隣り合うびん支持穴とびん支持穴の間隔がこれらのびん支持穴に支持されるびんの胴部が干渉しないように設けたびん支持穴と、びん支持穴から下方へ突出したびんが流し台に当らない空間を設けるように前記板材に流し台のシンクの縁に嵌合する縁である支持部又は前記板材から流し台上に垂下する上記空間の高さに相当する支持部と、を有することを特徴とする流し用水切り。
【請求項２】
平板状の板材には水切り格子を有することを特徴とする請求項１に記載の流し用水切り。
【請求項３】
首部の外径の異なるびんの該首部が夫々丁度嵌合する複数のびん支持穴を有することを特徴とする請求項１又は２に記載の流し用水切り。
【請求項４】
平板状の板材の縁を第一の支持部とすると共に平板状の板材の縁とは異なる位置に平板状の板材から垂下する第二の支持部を有することを特徴とする請求項１から３の何れか一つに記載の流し用水切り。
【考案の詳細な説明】
【考案の属する技術分野】
【０００１】
本考案はびん、カン、ペット（ＰＥＴ）ボトル等の容器の流し用水切り器に関するものである。
【背景技術】
【０００２】
ビールびん、酒びん等のリターナブルびんを除いて、内容物の飲料、食品を使った後のびん、カン、ペットボトル、牛乳パック等の容器（以下、資源容器という）は廃棄物でなく資源であることは通念となっている。そして、自治体、資源回収業者等がこれを回収して再び原材料として再生されている。即ち、資源循環により省資源社会へ向かおうとしている。この効果は大きく、分別収集を実施した自治体のごみ焼却場の一部が休止される程である。
【０００３】
上記効果は周知され、各家庭では分別収集を行うことを積極的に押し進める機運にある。
【０００４】
資源容器を分別回収に出す際に、ほとんどは各家庭で洗浄している。この洗浄自体は資源容器を出す者の気分にも合致し抵抗なく行われているものと思われる。
【０００５】
資源容器を洗浄した後の資源容器からの排水は胴部に比して首部の直径の小さいびんでは倒立した状態で手でもっていなければならず時間がかかり、その間手を離せない無駄がある。
【０００６】
そこで後述する特許文献によれば、基板体に突起棒を設けた水切り乾燥具が提案されている。この水切り乾燥具は突起棒にびんを差し込んでびん中の水を排水している。
【特許文献１】特開２００２−１７６４９号公報
【考案の開示】
【考案が解決しようとする課題】
【０００７】
基板体に突起棒を設ける水切り乾燥具によれば、突起棒があるので水切り乾燥具以外にしか使用できず、常に使用されている訳でもない水切り乾燥具の占める空間が有効に利用できない。また、資源回収に出す前に行う洗浄では完全な洗浄が行われない資源容器内の内容物によって突起棒、基板体が汚染されるが突起棒があるため洗浄が容易でない。また、突起棒があるためにびんを扱う操作性が劣る。
【０００８】
本考案はびんを水で洗浄する際、内容物を含む液体を排水する際に排水により汚されることのない流し用水切り器を提供することを目的とする。
【０００９】
本考案は操作性のよい流し用の水切り器を提供することを目的とする。
【課題を解決するための手段】
【００１０】
本出願に係る第１の考案は平板状の板材にびんの首部が夫々嵌入する複数のびん支持穴であって、隣り合うびん支持穴とびん支持穴の間隔がこれらのびん支持穴に支持されるびんの胴部が干渉しないように設けたびん支持穴と、びん支持穴から下方へ突出したびんが流し台に当らない空間を設けるように前記板材に流し台のシンクの縁に嵌合する縁である支持部又は前記板材から流し台上に垂下する上記空間の高さに相当する支持部と、を有することを特徴とする流し用水切りである。
【００１１】
本出願に係る第２の考案は平板状の板材には水切り格子を有することを特徴とする第１の考案に記載の流し用水切りである。
【００１２】
本出願に係る第３の考案は首部の外径の異なるびんの該首部が夫々丁度嵌合する複数のびん支持穴を有することを特徴とする第１又は第２の考案に記載の流し用水切りである。
【００１３】
本出願に係る第４の考案は平板状の板材の縁を第一の支持部とすると共に平板状の板材の縁とは異なる位置に平板状の板材から垂下する第二の支持部を有することを特徴とする第１から第３の考案の何れか一つに記載の流し用水切りである。
【考案の効果】
【００１４】
請求項１に係る考案によれば、びんの首部をびん支持穴に嵌入してびんを支持するだけでびんから排水できる。びん支持穴は複数あり、隣り合うびん支持穴に嵌合するびん同志は干渉しないので複数のびんの排水を同時にできる。このびんからの排水は流し用水切り器にかからないから、流し用水切りを排水で汚すことがない。平板状の板材に流し台のシンクの縁に嵌合する縁を有するようにすると、びんからの排水はシンクの底に直接流下するので流し台のシンク外のカウンタ部分にびんからの排水が流れない。また、平板状の板材は水切りとして用いることができる。
【００１５】
平板状の板材から流し台上に垂下する支持部を設けると流し用水切りを流し台のカウンタ上にも置くことができる。
【００１６】
びんをびん支持穴に嵌入する際に、障害物がないので操作性がよい。平板上には何もないので通常の水切りとしても用いられ、清掃も容易である。又、平板は製作が容易でコストが安い。
【００１７】
請求項２に係る考案によれば、アルミ缶その他缶類の排水、たわし、ウレタンスポンジ等の水切りも併せて出来る。
【００１８】
請求項３に係る考案によれば、首部の外径が異なるびんを夫々ガタなく支持することができるので、夫々のびんの姿勢が直立状態で安定する。
【００１９】
請求項４に係る考案によれば、この流し用水切りは流し台のシンクに嵌めても、カウンタに置いても用いることができる。
【考案を実施するための最良の形態】
【００２０】
図１はこの考案の平面図、図２は図１のＡ−Ａ断面図である。
【００２１】
平板状の板材１にびん２Ａ〜２Ｄ（図４（ａ）参照）の首部２Ａａ〜２Ｄａが夫々嵌合する複数のびん支持穴３ａ〜３ｄであって隣り合うびん支持穴３ａと３ｂ、３ｂと３ｃ、３ｃと３ｄの間隔がこれらのびん支持穴３ａ〜３ｄに支持されるびんの胴部２Ａｂ〜２Ｄｂが干渉しないように設けたびん支持穴３ａ〜３ｄを有する。
【００２２】
平板状の板材１はびん支持穴３ａ〜３ｄから下方へ突出したびん２Ａ〜２Ｄが流し台４に当らない空間を設けるように次にのべる支持部が設けられている。
【００２３】
支持部としては流し台４のシンク４ａの縁４ｂに板材１の回り縁１ａが嵌合するようにして板材１の縁１ａを支持部としたのが一つである。
【００２４】
支持部としては流し台４のカウンタ４ｃ上にこの流し用水切り１Ａを置いて用いることができるように板材１を支持する支持部として例えば板材１に脚１ｄ（図７参照）を設ける。脚１ｄの高さはびんの首部２Ａａ〜２Ｄａをびん支持穴３ａ〜３ｂに挿入してびんを支持したときにびん２Ａ〜２Ｄが流し台４のカウンタ４ｃに当らない高さである。
【００２５】
図７に示すように上記支持部として縁１ａと脚１ｄを共に設けてもよい。そうすることによってこの流し用水切りＡはシンク４ａの縁４ｂに縁１ａを嵌めて用いることもできるし、カウンタ４ｃ上に脚１ｄでもって置くこともできる。
【００２６】
平板１には水切り格子５を付設すれば水切り格子５上に使用済の清涼飲料水の缶、ビール缶等の缶６を水洗して倒立させて水をぬくこともできる（図４（ｂ）参照）。また、ぬれたウレタンスポンジ、たわし等の洗浄具７を置いて水切りできる（図４（ｃ）参照）。
【００２７】
びん支持穴３ａ〜３ｄを首部２Ａａ〜２Ｄａの直径が異なるびんの首部が夫々丁度嵌合する複数のびん支持穴３ａ〜３ｄを設けると、びん２Ａ〜２Ｄが安定した状態で直立支持される。
【００２８】
上述のような構成により、びん２Ａ〜２Ｄに洗浄水を入れて首部２Ａａ〜２Ｄａをびん支持穴３ａ〜３ｄに夫々差し込んでびん２Ａ〜２Ｄを板材１で支持すると、びん中の洗浄水は排水される。びんによってはこの排水時間はかなり時間がかかるし、水切りされるまでは充分長い時間がかかる。しかし、複数のびん支持穴があるため、一つのびんの排水の完了を待たないで次のびんの排水ができる。
【００２９】
びんを支持するのはびん支持穴であり、平らな板材のびん支持穴にびんの首部を嵌入するのは容易であり、特に複数のびんをびん支持穴に挿入する際に板材上に障害物がないので操作性がよい。
【００３０】
びんからの排水は板材にかからないので、資源回収の際のびんの水洗のように洗浄水がかなり汚れた状態で排水されて終わることを考えると清潔である。
【実施例１】
【００３１】
図１は実施例１の平面図、図２は図１のＡ−Ａ断面図、図６は斜視図である。
【００３２】
平板状の板材１にびん２Ａ〜２Ｄの首部２Ａａ〜２Ｄａが夫々嵌合する４個のびん支持穴３ａ〜３ｄが設けられている。
【００３３】
ここで、びん２Ａは大型ボトル、大型のびん、びん２Ｂ，２Ｃは一升びん、２リットル入りのペットボトル、びん２Ｄはビールびん、ワインのびん、しょうゆびん等である。
【００３４】
びん支持穴３ａ〜３ｄは流し台４の手前側と奥側をとおる一つのほぼ一直線上、本例では直線上に設けてある。一つのほぼ一直線上に設けることにより、びん支持穴３ａ〜３ｄへびん２Ａ〜２Ｄをもって行って差込み、また、引き抜くときに、既に差込んであるびんによってびん支持穴３ａ〜３ｄへのびん２Ａ〜２Ｄの差込み、引き抜きの邪魔にならない。従って操作性が良い。
【００３５】
びん支持穴３ａ，３ｂの間隔はびん支持穴３ａに嵌入した大型ボトル、大型のびんの胴部２Ａｂと、びん支持穴３ａに隣り合うびん支持穴３ｂに嵌入した一升びん、２リットルのペットボトル等の胴部２Ｂｂが干渉しないようにする。このような大きなびんは洗浄水の充満したびんの首部をもって倒立させることは難しく、またびん底側を片手では持ち難いので望ましくは隣り合うびん支持穴３ａ，３ｂに嵌入した夫々のびんの胴部２Ａｂ，２Ｂｂ間は手のひらを挿入し得る間隔を設けるようにびん支持穴３ａ，３ｂの間隔をとる。
【００３６】
同様にびん支持穴３ｂと３ｃ、３ｃと３ｄの間隔はびん支持穴３ｂ〜３ｄに夫々嵌入したびんの胴部２Ｂｂと２Ｃｂ、２Ｃｂと２Ｄｂが干渉しない大きさとし、望ましくは互いの胴部間に少なくとも指が挿入できる間隙が生ずるようにする。
【００３７】
各びん支持穴３ａ〜３ｄは夫々平板１から下方へ向かってしぼむように円錐形に垂下して縁取り１ｂされている。板材１の平面図形は図１に示すように方形であって、図の上側の二つの角は大きな円弧となっている。
【００３８】
平板状の板材１はびん支持穴３ａ〜３ｄから下方へ突出したびん２Ａ〜２Ｄが流し台４に当らない空間を設けるように支持部が設けられている。
【００３９】
本例の支持部は流し台４のシンク４ａの回り縁４ｂに板材１の回り縁１ａが嵌合するようにしてある。回り縁１ａは図１に示すように一部図の上、左、右が流し台４の使用者から見てシンク４ａの縁４ｂに沿って嵌まり込んでいる。シンク４ａの縁４ｂはシンク４ａの内周に沿って段形に流し台４のカウンタ４ｃの位置から下がって設けられ回り縁４ｂの底４ｂ１に板材１の回り縁１ａの下端が着座する。回り縁４ｂの底４ｂ１から回り縁４ｂの段の上面４ｂ２までの高さは例えば２０ミリメートルである。そこで板材１の上面１ｃを回り縁４ｂの上面４ｂ２と一致させるようにする。そのため、及び剛性を板材１に持たせるために板材１の回り縁１ａは板材１の全周を下方へ折曲して下端がシンク４ａの回りの縁４ｂの底部４ｂ１に着座するようにして且つ、板材１の回り縁１ａの高さを２０ミリメートルとして板材１の上面１ｃとカウンタ４ｃと同一面としてある。シンク４ａの回り縁４ｂに嵌め込まれた板材１はびん２Ａ〜２Ｄをびん支持穴３ａ〜３ｄに嵌入していない場合に、通常の水切りとして用いることができる。
【００４０】
図３は、板材１だけではシンク４ａの回り縁４ｂから、板材１が上方へ少しずれると外れるおそれがあるとき、ころび止め用のつば８を板材１と一体的に設ける。つば８はシンク４ａの内周４ｄに沿って連続して配置される。又は部分的に複数個所で内周４ｄに接近するようにつば８を設けてもよい。つば８は断面逆Ｌ形をしており、上端を板材１にスポット溶接されている。
【００４１】
本実施例１では清涼飲料水の缶、ビール缶等の缶６を水洗して倒立させて水をぬく及びたわし、ウレタンスポンジ等の洗浄具７の水切りをする水切り格子５が使用者から見て前後方向に長く設けてある。本例の水切り格子５は前後方向に長い複数のスリット５ａが板材１にプレス加工で設けてある。スリット５ａの前後方向の長さは両端が夫々シンク４ａの内周４ｄ近くまである。水切り格子５をこのように長く設けてあるので缶６、洗浄具７を適宜に置いても夫々その場で排水できる。このスリット５ａは板材１を折曲した縁取り１ｅでもって補強してある。スリット５ａの開口幅は例えば１０ミリメートルである。隣り合うスリット５ａ間の板材１の中実部分は例えば３〜５ミリメートルである。スリット５ａの数は６本である。
【００４２】
このようにびん用のびん支持穴と水切り格子を設けるとびん、缶類、洗浄具７の殆どが水切り出来る。
【００４３】
図４（ｃ）は洗浄具７を水切り格子５上に置いた図である。
【００４４】
上記において、板材１は前後方向が約４５０ミリメートル、左右方向の幅が１８０ミリメートル、びん支持穴３ａ〜３ｄを設ける範囲の左右方向の幅が１００ミリメートル、水切り格子５を設ける範囲の左右方向の幅が８０ミリメートルである。びん支持穴３ａ〜３ｄは夫々下方が縮径するテーパ穴となっている。びん支持穴３ａは大径５５ミリメートル、小径４５ミリメートル、びん支持穴３ｂ，３ｃは夫々大径４８ミリメートル、小径３８ミリメートル、びん支持穴３ｄは大径４３ミリメートル、小径３３ミリメートルである。
【００４５】
この実施例１によれば回収資源容器であるびん類に水を入れびん類は倒立してびん支持穴に差し込むだけであり、障害物が流し用水切り上にないので操作性がよい。同様に缶類も前後方向に長い水切り格子上に適宜置けるので操作性がよい。
【００４６】
洗浄水の多い大型のびんにあっては排水が板材上を流れないので清潔である。板材１はプレスで完成するので製作容易でコストが安い。
【００４７】
水切り格子を前後方向に長くほぼシンクの前後幅近くまで設けてあるので缶、及び、たわし、スポンジ等の洗浄具を適宜に置くことができるので使い勝手が良い。
【実施例２】
【００４８】
実施例２は流し台のカウンタ上に置いて用いることができる流し用水切りである。
【００４９】
図７は実施例２の流し用水切りの斜視図である。
【００５０】
板材１の下方に向かって板材１を支持する支持部として脚１ｄが設けられている。カウンタ４ｃに接して流し用水切り１Ａは支持される。脚１ｄは板材１の裏面にスポット溶接等により上端が固定されている。脚１ｄの配置は流し用水切り１Ａが安定するように板材１の四つの角付近に設けてある。
【００５１】
板材１に設けるびん支持穴３ａ〜３ｄ、水切り格子５は実施例１と同様である。脚１ｂの高さは、びん支持穴３ａ〜３ｄに嵌入するびん２Ａ〜ＡＤがカウンタ４ｃに接しないで若干排水のための間隔を得られるように選択する。水切り格子５はびん支持穴３ａ〜３ｄの配列される一直線に平行している（実施例１と同様）。
【００５２】
この実施例２の流し用水切り１Ａはシンク４ａに近い場所でカウンタ４ｃ上に置いて用いられる。
【００５３】
上述において脚１ｄは棒状であるが棒状に限らず、板材１が方形であるので短辺側を延出して延出部を板材１の短辺で折り曲げて支持部としてもよい。
【００５４】
この実施例２では板材１の外形状及び外形寸法は実施例１と異なってもよいし、同じでもよい。
【実施例３】
【００５５】
実施例３は実施例１と実施例２の両方の機能を有し、シンクの回り縁に嵌合可能であると共にカウンタ上に載置可能な流し用水切りである。
【００５６】
図７において板材１は実施例１と同様である。そして支持部として設けた脚１ｄは、板材１がシンク４ａの縁４ｂに嵌った状態において、シンク４ａ内にある。脚１ｄはシンク４ａの内周に沿わせてもよい。脚１ｄの下端はシンク４ａの底４ｅには達しない。
【００５７】
この実施例３によれば、流し用水切りＡは流し台４上の何処にも置けるので汎用性がある。
【００５８】
実施例は流し台４としてシンク４ａの縁４ｂは使用者から見て側方の前後方向に長い縁４ｂがある場合を述べたが、流し台４にはシンク４には使用者から見て側方の前後方向の長い縁がなく、カウンタ４ｃからすぐにシンク４ａに落ち込んだものもある。このような流し台４はカウンタ４ｃの面と縁４ｂの底４ｂ１は連続する平らな面となっている。このように使用者から見てシンク４ａの側部に縁４ｂがない場合は、板材１の使用者から見てカウンタ４ｃ側にある回り縁１ａ部分はカウンタ４ｃ上に置かれる。
【産業上の利用分野】
【００５９】
この考案よれば、流し台のシンクの縁に嵌合する。又は、板材から垂下する支持部を設けたので流し台への装着が到って簡単である。そしてびんの排水は格別に便利であり、板材が排水で汚れることがない。
【００６０】
この考案の流し台は広く利用される可能性がある。加工も簡単であり製造上に特段の課題もない。
【図面の簡単な説明】
【００６１】
【図１】流し用水切りの実施例１の平面図である。
【図２】図１のＡ−Ａ断面図である。
【図３】実施例１においてころび止め用つばを付した縦断面図である。
【図４】（ａ），（ｂ），（ｃ）は夫々がびん、缶、洗浄具の水切りを行っている処を示す縦断面図である。
【図５】流し用水切りを装着した流し台の平面図である。
【図６】実施例１において流し用水切りを装着した状態を示す斜視図である。
【図７】流し用水切りの実施例２の斜視図である。
【符号の説明】
【００６２】
１…板材  １Ａ…流し用水切り  １ａ…板材の回り縁  １ｂ…縁取り  １ｃ…上面  １ｄ…脚  １ｅ…縁取り
２Ａ〜２Ｄ…びん  ２Ａａ〜２Ｄａ…首部  ２Ａｂ〜２Ｄｂ…胴部
３ａ〜３ｄ…びん支持穴
４…流し台  ４ａ…シンク  ４ｂ…シンクの縁  ４ｂ１…底  ４ｂ２…上面  ４ｃ…カウンタ  ４ｄ…内周  ４ｅ…底
５…水切り格子  ５ａ…スリット  
６…缶
７…洗浄具
８…つば
【図１】
0003124263.tif 000003
【図２】
0003124263.tif 000004
【図３】
0003124263.tif 000005
【図４】
0003124263.tif 000006
【図５】
0003124263.tif 000007
【図６】
0003124263.tif 000008
【図７】
0003124263.tif 000009